(57)【特許請求の範囲】
【請求項１】
符号化された複数の映像データを格納した映像データ格納部と、
前記映像データ格納部に格納された複数の映像データを、映像データ間の時間間隔、または映像データに付された撮影場所を示す情報に基づいてグループ分けするグループ分け部と、
前記グループ分け部によってグループ分けされた各グループに含まれる前記映像データの長さと数とに基づいて、各グループに割り当てるカットの数を決定するグループ毎カット数決定部と、
前記グループ毎カット数決定部によって各グループに割り当てられた前記カットの数に基づいて、各グループに属する前記映像データの一部分をカットとして抽出するカット抽出部と、
前記カット抽出部によって抽出された前記カットをダイジェストデータとして再生する再生制御部と、
を有するダイジェストデータ作成装置。
【請求項２】
請求項１または請求項２のいずれかに記載のダイジェストデータ作成装置において、
前記グループ毎カット数決定部は、
前記グループ分け部によってグループ分けされた各グループに含まれる前記映像データの長さと数とに基づいて、各グループに割り当てるカットの数を決定する際、ある映像データに割り当てる前記カットの長さが、前記映像データの長さより長い場合、その超える部分を、同じグループの他の映像データのカットに配分する、ダイジェストデータ作成装置。
【請求項３】
請求項１または請求項２のいずれかに記載のダイジェストデータ作成装置において、
前記グループ毎カット数決定部は、
前記グループ分け部によってグループ分けされた各グループに含まれる前記映像データの長さと数とに基づいて、各グループに割り当てるカットの数を決定する際、各グループに割り当てるダイジェスト数を、そのグループにおける前記映像データの数を超えないように設定する、ダイジェストデータ作成装置。
【請求項４】
符号化された複数の映像データを、映像データ間の時間間隔、または映像データに付された撮影場所を示す情報に基づいてグループ分けするステップと、
前記グループ分けされた各グループに含まれる前記映像データの長さと数とに基づいて、各グループに割り当てるカットの数を決定するステップと、
前記各グループに割り当てられた前記カットの数に基づいて、各グループに属する前記映像データの一部分をカットとして抽出するステップと、
前記カットをダイジェストデータとして再生するステップと、
を有するダイジェストデータ作成方法。
【発明の詳細な説明】
【技術分野】
【０００１】
本発明は、複数の映像データからその一部分を抽出してダイジェストデータとして再生するダイジェストデータ作成装置およびダイジェストデータ作成方法に関する。
【背景技術】
【０００２】
複数の映像データの中から、所望の映像データを検索し易くするため、映像データをいったん復号して解析してからダイジェストデータを作成するダイジェストデータ作成装置がある（例えば、特許文献１参照。）。
【特許文献１】特開２００５−２５２３７２号公報
【発明の開示】
【発明が解決しようとする課題】
【０００３】
しかし、上記従来のダイジェストデータ再生装置では、ダイジェストデータを作成する際、映像データをいったん復号して解析しているので、ビデオカメラなどバッテリで駆動し処理能力に制限のあるダイジェストデータ作成装置の場合、処理量が多くなり、ダイジェストデータを作成するのに長い時間が必要となると共に、その処理によってバッテリの電源を消費してしまう、という課題があった。
【０００４】
そこで、本発明は、短時間かつ少ない処理負荷でダイジェストデータを作成することができるダイジェストデータ作成装置およびダイジェストデータ作成方法を提供することを目的とする。
【課題を解決するための手段】
【０００５】
上記課題を解決するために、本発明のダイジェストデータ作成装置では、符号化された複数の映像データを格納した映像データ格納部と、前記映像データ格納部に格納された複数の映像データを、映像データ間の時間間隔、または映像データに付された撮影場所を示す情報に基づいてグループ分けするグループ分け部と、前記グループ分け部によってグループ分けされた各グループに含まれる前記映像データの長さと数とに基づいて、各グループに割り当てるカットの数を決定するグループ毎カット数決定部と、前記グループ毎カット数決定部によって各グループに割り当てられた前記カットの数に基づいて、各グループに属する前記映像データの一部分をカットとして抽出するカット抽出部と、前記カット抽出部によって抽出された前記カットをダイジェストデータとして再生する再生制御部と、を有する。
【０００６】
また、前記グループ毎カット数決定部は、前記グループ分け部によってグループ分けされた各グループに含まれる前記映像データの長さと数とに基づいて、各グループに割り当てるカットの数を決定する際、ある映像データに割り当てる前記カットの長さが、前記映像データの長さより長い場合、その超える部分を、同じグループの他の映像データのカットに配分するようにしたり、または、各グループに割り当てるダイジェスト数が、そのグループにおける前記映像データの数を超えないように各カットの長さを設定する、ようにしても良い。
【０００７】
また、本発明のダイジェストデータ作成方法では、符号化された複数の映像データを、、映像データ間の時間間隔、または映像データに付された撮影場所を示す情報に基づいてグループ分けするステップと、前記グループ分けされた各グループに含まれる前記映像データの長さと数とに基づいて、各グループに割り当てるカットの数を決定するステップと、前記各グループに割り当てられた前記カットの数に基づいて、各グループに属する前記映像データの一部分をカットとして抽出するステップと、前記カットをダイジェストデータとして再生するステップと、を有する。
【発明の効果】
【０００８】
本発明によれば、ダイジェストデータを作成する際、映像データをいったん復号して解析する必要がなくなり、短時間かつ少ない処理負荷でダイジェストデータを作成することができる。その結果、例えば、ダイジェストデータ作成装置が、バッテリで駆動し処理能力に制限のあるビデオカメラなどの場合でも、バッテリを長持ちさせることができる。
【発明を実施するための最良の形態】
【０００９】
実施の形態１.
以下、本発明に係るダイジェストデータ作成装置およびダイジェストデータ作成方法の実施の形態について説明する。尚、以下で説明するダイジェストデータ作成装置の実施の形態は、映像データの記録機能および再生機能を有するビデオカメラ等のダイジェストデータ作成装置およびダイジェストデータ作成方法を想定している。なお、本発明でいう映像データには、映像データ以外に音声データ等が含まれていても良いし、音声データ等が含まれていなくても良い。また、その映像データには動画データだけでなく、静止画データでも良いし、動画データと静止画データとが混在していても勿論よい。そのため、ダイジェストデータに音声データが含まれていたり、ダイジェストデータが動画データだけでなく、静止画データでも良い。
【００１０】
図１は、本発明の実施の形態１であるダイジェストデータ作成装置１００の構成を示すブロック図である。
【００１１】
図１において、このダイジェストデータ作成装置１００は、映像データ格納部１１０、カットデータ記憶部１２０、ダイジェスト時間決定部１３０、グループ分け部１４０、グループ毎カット数決定部１５０、カット抽出部１６０、再生制御部１７０を備えている。なお、再生制御部１７０は、本装置に設けられていなくても、本装置外に設けられていても勿論よい。また、ダイジェスト時間決定部１３０も任意な構成要素で省略しても良い。
【００１２】
また、本実施の形態１の映像データ２００は、カメラ等によって撮影され、録画開始から録画停止までの連続撮影されたもので、音声データやテキストデータ等が含まれていても、音声データやテキストデータ等が含まれていなくてもどちらでも良い。そして、映像データ格納部１１０は、ハードディスク、ＤＶＤ等の光ディスク、磁気テープ、半導体記録媒体等の映像データを記録可能な容量を持つ記録媒体と、その記録媒体にデータを記録し再生するための記録再生部とから構成され、ディジタルビデオカメラ等で撮影された映像データ２００が複数個格納される。なお、その記録媒体は、テープや、ＤＶＤ、メモリ等のように取り外しできる記録媒体でも、ＨＤＤ等のように取り外し不可の記録媒体でもどちらでも良い。同様に、カットデータ記憶部１２０も、ハードディスク、光ディスク、磁気テープ、半導体記録媒体等の、複数のカットからなるダイジェストデータを記録可能な容量を持つ記憶媒体と、その記憶媒体にデータを記録し再生するための記録処理部とから構成され、映像データ格納部１１０に格納された映像データ２００のダイジェストやその各種情報が記憶される。なお、映像データ格納部１１０がカットデータ記憶部１２０を兼ねていても、それとは逆にカットデータ記憶部１２０が映像データ格納部１１０兼ねていても良い。
【００１３】
次に動作を説明する。
【００１４】
まず、映像データ格納部１１０は、図示しないカメラ等によって撮影された映像データ２００を、撮影日時、録画時間や撮影場所などの撮影時に取得される情報や撮影後に撮影者が入力するコメントなどの属性情報が付され格納している。そのため、このダイジェストデータ作成装置には、撮影日時や録画時間を取得するための時計を、また撮影場所を取得するために位置情報を検出できるＧＰＳなどを、さらに撮影後に撮影者がコメントなどを入力するためには入力に必要な入力部（図示せず）を、ダイジェストデータ作成装置内に設けている。また属性情報は、例えば、ＭＰＥＧ等の画像フォーマットや、ダイジェストデータ作成装置１００の管理規則に従って、映像データ２００のヘッダ部分やインデックス部分などに記録する、あるいは映像データ２００とは別の管理情報用ファイル等に記録する。
【００１５】
ダイジェスト時間決定部１３０では、再生するダイジェストデータの再生時間であるダイジェスト時間Ｔを決定する。ダイジェスト時間Ｔは、ダイジェストの対象とする複数の映像データ２００の録画時間の合計に比例した値とする。そのため、ダイジェスト時間決定部１３０は、映像音声データ格納部１１０に格納されたダイジェスト映像の対象とする複数の映像データ２００の録画時間を検出してダイジェスト時間Ｔを決定する。ここで、ダイジェスト時間Ｔが長くなりすぎると、撮影した映像を短時間で観るというダイジェストの効果が失われてしまう。そのため、本実施の形態のダイジェスト時間決定部１３０では、ダイジェスト時間Ｔに閾値を設定し、その閾値を越えることがない様にダイジェスト時間Ｔを調整しても良い。なお、ダイジェスト時間Ｔは、事前に任意の値を与えても良いし、入力部（図示せず）を設けて装置外部より与えられるようにしても良い。そのため、本発明では、ダイジェスト時間決定部１３０を省略しても良い。
【００１６】
次に、グループ分け部１４０は、映像データ格納部１１０に格納されたダイジェスト対照の複数の映像データ２００を撮影日時順に時系列に並べ、所定の規則にしたがって映像データのグループ分けを行う。グループ分けの規則の例として、各映像データの時間間隔を求め、間隔が任意の閾値を越えた映像データの間でグループ分けするものが挙げられる。また、映像データ２００に付する撮影情報としてグループ分けに用いる情報を記録し、その情報に基づいた規則によりグループ分けする方法が挙げられる。例えば、映像データ２００の撮影情報に撮影場所を記録し、撮影順が連続しており、かつ撮影場所が近い映像データ２００を同じグループとしてグループ分けを行なう。
【００１７】
グループ毎カット数決定部１５０では、各グループに割り当てるカットの数を、各グループにおける映像データの長さと数とに基づいて決定する。ここで、カットとは、映像データ中の一部を時間情報やアドレス等を指定することにより切り出した映像データのことである。本実施の形態では、各グループから抽出したカットを時系列順に繋ぎ合わせてダイジェストデータを作成する。
【００１８】
以下に、グループ毎カット数決定部１５０によるグループ毎のカット数の決定法の一例を説明する。
【００１９】
この例では、撮影された映像データ２００はグループ分け部１４０によりグループ１、グループ２……グループｇと、ｇ個のグループに分けられているものとする。本実施の形態のグループ毎カット数決定部１５０は、まず、グループｎの割り当てカット比率Ｐ（ｎ）を、下記式（１）により求める。
【００２０】
【数１】
0004946789.tif 000002
【００２１】
次に、グループ毎カット数決定部１５０は、割り当てカット比率Ｐ（ｎ）と、ダイジェスト時間決定部１３０が決定したダイジェスト時間Ｔとを用い、（２）式によりグループｎに割り当てられるダイジェスト時間Ｄ（ｎ）を求める。
【００２２】
【数２】
0004946789.tif 000003
【００２３】
そして、グループ毎カット数決定部１５０は、以上によって求めた割り当てダイジェスト時間Ｄ（ｎ）と、抽出するカットの長さであるカット長tから、グループｎの割り当てカット数Ｃ(ｎ)を求める。抽出するカット長ｔは、撮影された映像データ２００の録画時間の合計や、ダイジェスト時間Ｔに比例させる等、他のパラメータを用いて求めても良いし、事前に任意の値を与えても良い。グループｎの割り当てカット数Ｃ(ｎ)は、式（３）により得られる値の小数点第一位を四捨五入することで求める。
【００２４】
【数３】
0004946789.tif 000004
【００２５】
図２は、以上のようにしてグループ毎カット数決定部１５０が割り当てたグループ毎のカット数の具体例を示している。
【００２６】
具体的には、図２では、映像データのグループが１１ある場合を示している。１１のそれぞれのグループ毎に、グループ毎カット数決定部１５０が、各グループにおける映像データの合計の長さである合計時間[sec]と、各グループの映像データ数等に基づいて、ダイジェスト時間決定部１３０等によって指定されたダイジェスト時間Ｔが１８０[ｓｅｃ]を超えず、一つのカット長ｔが５[ｓｅｃ]になるように、「log[ショット長]×log[ショット数+1]」、割り当てカット比率Ｐ（ｎ）、割り当てダイジェスト時間Ｄ（ｎ）[sec]、割り当てカット数Ｃ(ｎ)を求めて、設定する。
【００２７】
ここで、図２の例では、グループ毎カット数決定部１５０は、ダイジェスト時間Ｔ＝１８０[ｓｅｃ]、カット長ｔ＝５[ｓｅｃ]として、１１個のグループそれぞれに、その映像データの合計長さの２２３４[ｓｅｃ]と、映像データ数の７８個とから求めた割り当てカット数Ｃ(ｎ)を割り当てる。その結果、図２に示すように、例えば、グループ番号１のグループには、割り当てカット数Ｃ(ｎ)として１が割り当てられ、グループ番号２のグループには、割り当てカット数Ｃ(ｎ)として３が割り当てられ、グループ番号３のグループには、割り当てカット数Ｃ(ｎ)として７が割り当てられることになり、１１個の全グループに合計３６個のカットが割り当てられ抽出されることになる。
【００２８】
なお、上記式（１）、（２）、（３）はカット比率Ｐ（ｎ）、ダイジェスト時間Ｄ（ｎ）、割り当てカット数Ｃ(ｎ)の決定法の一例であり、各グループにおける映像データの合計の長さと数とに基づいて決定する限りは、上記（１），（２），（３）と異なる式を用いても良い。
【００２９】
映像データ格納部１１０に格納された各グループの映像データから、グループ毎カット数決定部１５０で決定された割り当てカット数分のカットを抽出する。その方法を図３に示すグループを用いて説明する。
【００３０】
図３は、本実施の形態のカット抽出部１６０によって抽出されたカットの具体例を示している。
【００３１】
図３に示す例では、あるグループが６つの映像データ１〜６から構成されている例を示している。ここでは、例えば、図２に示すグループ番号２のように、グループ毎カット数決定部１５０によってこのグループに３つのカットが割り当てられたものとし、抽出するカット長は５[ｓｅｃ]とする。
【００３２】
そして、カット抽出部１６０は、図３の例に示すように、グループの先頭にある映像データ１の撮影開始から５秒間をカット１として抽出し、それ以降は、各映像データ間の時間間隔を算出し、各映像データ間の時間間隔が長い順に各間隔の直後の映像データの撮影開始から５秒間を、このグループに与えられたカット数だけ抽出、すなわちカットする。図３に示す例では、グループの先頭にある映像データ１の撮影開始から５秒間をカット１として抽出すると、続いて最も長い２０秒の間隔の直後にある映像データ６の撮影開始から５秒間をカット２として抽出し、さらに２番目に長い１５秒の間隔の後にある映像データ２の撮影開始から５秒間をカット３として抽出する。結果的に、各映像データの時間間隔に基づいて、グループ毎カット数決定部１５０によってこのグループに割り当てられたカット数の小グループに分けることを行ない、各小グループの先頭映像データから５秒間のカットを作成する場合と同じとなる。
【００３３】
ここで、カット抽出部１６０は、この方法に限らず、グループ毎カット数決定部１５０によってこのグループに３つのカットが割り当てられていることを指示されるので、まず、この６つの映像データ１〜６からなるこのグループを、例えば、各映像データ間の時間間隔に基づいて、撮影間隔の長い部分で３つの小グループに分けるようにしても良い。すると、図３に示す６つの映像データ１〜６の場合、映像データ１の小グループと、映像データ２〜５の小グループと、映像データ６の小グループの３つの小グループに分けることができ、各映像データ間の時間間隔が長い順にグループ分けした場合と結果として同じになる。
【００３４】
そして、カット抽出部１６０は、各小グループの先頭の映像データ１、映像データ２、映像データ６の撮影開始から５[ｓｅｃ]をそれぞれカット１〜３として抽出する。
【００３５】
カット抽出部１６０は、このような手法で、グループ分け部１４０によってグループ分けされた全てのグループの映像データから指定された数のカットを抽出し、カットデータ記憶部１２０に記録する。なお、カット抽出部１６０は、カットの抽出および記録ではなく、映像データを識別する情報と抽出位置を指定する情報だけを集めてリストとしたプレイリストを作成して記録してもよい。この場合、実際に抽出したカットデータをつなげる場合に比べて、画像データを持たない分、データ量が少なくすることができる。
【００３６】
そして、再生制御部１７０は、ユーザ等によりダイジェストデータの再生指示などがあると、カットデータ記憶部１２０に記録された複数のカットを時系列順に再生することで、撮影された映像データのダイジェストデータの再生を、図示しないディスプレイ等で行う。また、抽出されたカットがプレイリストとして記録されている場合は、カットを時系列順に表示するのではなく、プレイリストに記録されている順にカットの再生を行うことで、ダイジェストデータの再生を行うものとする。
【００３７】
従って、本実施の形態１によれば、グループ分け部１４０が映像データ格納部１１０に格納された複数の映像データを、所定の規則に基づいてグループ分けし、グループ毎カット数決定部１５０がそのグループ分けされた各グループに割り当てるダイジェスト数を、各グループに含まれる映像データの長さと数とに基づいて決定し、カット抽出部１６０が各グループに割り当てられた前記カットの数に基づいて、各グループに属する前記映像データの一部分をカットとして抽出してカットデータ記憶部１２０に記憶するようにしたので、ダイジェストデータを作成する際、映像データをいったん復号して解析する必要がなくなり、短時間かつ少ない処理負荷でダイジェストデータを作成することができる。
【００３８】
その結果、例えば、ダイジェストデータ作成装置が、バッテリで駆動し処理能力に制限のあるビデオカメラなどの場合には、バッテリを長持ちさせることができる。
【００３９】
実施の形態２．
次に、実施の形態２について説明する。この実施の形態２では、グループ分け部１４０によってグループ分けされた各グループに割り当てるカット数を、各グループに含まれる映像データの長さと数とに基づいて決定する際、あるグループにて割り当てるカットの長さが、映像データより長い場合、映像データを超える部分は、同じグループの他の映像データのカットに配分等するようにしたものである。なお、本実施の形態２の構成自体は、図１に示す実施の形態１のものと同じであるので、カットの長さの配分のみについて説明する。
【００４０】
図４は、カット長より映像データ長が短い映像データがある場合における実施の形態２のグループ毎カット数決定部１５０によるカットの長さの配分例について示す図である。なお、図４の例では、映像データ１〜３からなるグループにおいて、３つのカットを抽出するが、その際、抽出する順番は、最初はグループ先頭の映像データ１、それ以降の抽出順番は、時系列で一つ前の映像データとの時間間隔が大きい映像データから順に、すなわち映像データ３、映像データ２の順でカット１〜３を抽出する例である。
【００４１】
図４（ａ）は、３つの映像データ１〜３により構成されるあるグループ２から５秒のカットを３つ抽出する状況を示した図である。３つ目の映像データ３では、映像データ長が３秒である為、５秒のカットを抽出することが出来ない。同じ小グループ内に５秒以上の長さの映像データがある場合、その映像データからカットを抽出しても良い。しかし、この例では映像データと抽出するカットの数が同じなのでこの手法をとることはできない。そのため、本実施の形態２では、他のグループの映像データから、例えば、図４（ｂ）または（ｃ）に示すように、映像データ３にて余る２秒分を補充して全体としてこのグループの１５秒のダイジェストデータを作成する。
【００４２】
図４（ｂ）は、同じグループの他のカットすべての長さを長くする場合である。つまり、映像データ３からは３秒のカット２を抽出し、余る２秒分を、他のカット１、３を均等に長くすることで補充することで、映像データ３にて余る２秒分を、同じグループの他の映像データ１，２のカット長にそれぞれ１秒ずつをプラスしてそれぞれ６秒の長さのカットを抽出する例である。
【００４３】
図４（ｃ）は、ある映像データにて余るカットの長さを、同じグループの次に抽出する映像データに割り当てるようにした例である。つまり、図４の場合、最初はグループ先頭の映像データ１で、それ以降の抽出順番は映像データ間の時間間隔が大きい順番、すなわち映像データ３、映像データ２の順番でカットを抽出していく場合であり、映像データ３にてカット２を５秒抽出するには２秒足りないため、次に映像データ２から抽出するカット３の長さを２秒間プラスして７秒とする例である。
【００４４】
なお、図４（ｂ）や図４（ｃ）とは別に、ある映像データにて余るカットの長さを、同じグループの他の映像データ長に比例した長さに分割して配分するようにしても勿論よい。また、グループ内でもっとも長い映像データから抽出するカットを長くしても良い。この場合、映像データ２より映像データ１のほうが映像データ長が長いので、図示はしていないが、図４の映像データ１から抽出するカット１の長さを２秒間プラスして７秒とすることになる。
【００４５】
従って、本実施の形態２によれば、上記実施の形態１と同様に、短時間かつ少ない処理負荷でダイジェストデータを作成することができると共に、カットを抽出する映像データにてカット長が余る場合、同じグループの他の映像データにカット長を配分するようにしたので、ユーザにとって見やすいダイジェストデータを作成することができる。
【００４６】
なお、本実施の形態２では、図４（ｂ）や図４（ｃ）等に示すように、ある映像データにて余るカットの長さを、同じグループの他の映像データに分割して配分するように説明したが、本発明では、これに限定されず、図４（ｂ）や図４（ｃ）の場合とは異なり、映像データ３からは３秒のカットを抽出し、他の映像データ１，２からはカット長の補充は行なわないようにしても勿論良い。その結果、この場合、作成されるダイジェスト時間は、ダイジェスト時間決定部１３０で指定した長さより２秒だけ短くなる。
【００４７】
実施の形態３．
次に、実施の形態３について説明する。この実施の形態３では、グループ分け部１４０によってグループ分けされた各グループに割り当てるダイジェスト数を、各グループに含まれる映像データの長さと数とに基づいて決定する際、あるグループにて割り当てるカット数が、そのグループの映像データ数より多い場合のカット長の決定方法を示すものである。なお、本実施の形態３の構成自体は、上記実施の形態２と同様に、図１に示す実施の形態１のものと同じであるので、カット長の決定方法についてのみ説明する。
【００４８】
図５は、カット数より映像データ数の方が多い場合における実施の形態３のグループ毎カット数決定部１５０によるカットの長さの配分例について示す図である。
【００４９】
図５（ａ）は、２つの映像データ１，２により構成されるグループから５秒のカットを３つ抽出する場合を示している。映像データが２つしかない為、カットを３つ抽出することが出来ない。そこで、本実施の形態３では、例えば、既にカットが抽出されている映像データ１，２から、余りの５秒分を補充する。補充法の例を以下に挙げる。
【００５０】
図５（ｂ）は、図５（ａ）に示すように１のカットを抽出できない場合が発生した場合、グループ毎カット数決定部１５０は、同じグループで最も映像データ長が長い映像データからもう１つのカットデータ抽出する例を示している。つまり、図５（ｂ）に示すように、既にカットを抽出した映像データ１，２の内、最も長い映像データか２からもう１つカットデータ抽出する。抽出する部分は、図５（ａ）に示すように、映像データの中心部分から抽出しても良いし、中心部分以外の他の部分を指定して抽出しても良い。よって、図５（ｂ）に示すように、映像データ２からカット２と、カット３との合計１０秒のカットを抽出することになる。
【００５１】
図５（ｃ）は、図５（ａ）に示すように１のカットを抽出できない場合が発生した場合、グループ毎カット数決定部１５０は、最も映像データ長の長い映像データのカットを、その分延長する例を示している。つまり、図５（ｃ）に示すように、既にカットを抽出した映像データの内、最も映像データ長の長い映像データ２のカット長を、その分延長することで、余りの分を補充している。よって、図５（ｃ）に示すように、映像データ２から抽出するカット２は、１０秒となる。
【００５２】
図５（ｄ）は、図５（ａ）に示すように１のカットを抽出できない場合が発生した場合、グループ毎カット数決定部１５０は、同じグループの他の映像データから抽出するカット長を等しくした例を示している。このとき、図５（ｄ）に示すように、余りの５秒分を、他の映像データ１，２から抽出するカットに均等に分割して割り当てても良いし、映像データ長に比例した長さに分割して割り当てても良い。図５（ｄ）では、余りの５秒分を他の映像データ１，２から抽出するカット１，２に均等に分割して割り当て、カット１，２の長さが７．５秒としている。
【００５３】
従って、本実施の形態３によれば、上記実施の形態１、２と同様に、短時間かつ少ない処理負荷でカットを作成することができると共に、カットを抽出するグループにて映像データ数よりカット数の方が多くなる場合、同じグループの他の映像データにカット長を配分するようにしたので、ユーザにとって見やすいダイジェストデータを作成することができる。
【００５４】
なお、本実施の形態３では、図５（ｂ）〜図５（ｄ）に示すように、カットを抽出するグループにて映像データ数よりカット数の方が多くなる場合、余るカットの長さを、同じグループの他の映像データに分割して配分するように説明したが、本発明では、これに限定されず、他の映像データ１，２からはカット長の補充は行なわないようにしても勿論良い。その結果、この場合であれば、作成されるダイジェスト時間は、ダイジェスト時間決定部１３０で指定した長さより５秒だけ短くなる。
【００５５】
なお、以上説明した実施の形態１〜３では、ダイジェストデータ作成装置を、撮影した映像データを内部あるいは外部の記録媒体に蓄積するディジタルビデオカメラ等を一例に説明したが、本発明では、これに限らず、例えば、ディジタルスチィルカメラや、画像ファイルストレージ装置等で構成するようにしても良いし、映像データ２００を読み込んで格納するパーソナルコンピュータ、レコーダ装置その他の電子機器等で構成するようにしても勿論よい。
【００５６】
また、以上の実施の形態１〜３では、ダイジェストデータ作成装置を、図１に示すようにハードウエア的に構成して説明したが、本発明は、これに限らず、ＣＰＵと、図１に示すダイジェストデータ作成装置の機能を実行させるプログラムとにより、ソフトウエア的に実行するようにしても良い。
【図面の簡単な説明】
【００５７】
【図１】本発明の実施の形態１であるダイジェストデータ作成装置１００の構成を示すブロック図である。
【図２】本実施の形態１によって割り当てたグループ毎のカット数の具体例を示す図である。
【図３】本実施の形態１によって抽出されたカットの具体例を示す図である。
【図４】実施の形態２によるカット長より映像データ長が短い映像データがある場合におけるカットの長さの配分例について示す図である。
【図５】実施の形態３によるカット数より映像データ数の方が多い場合におけるカットの長さの配分例について示す図である。
【符号の説明】
【００５８】
１００  ダイジェストデータ作成装置
１１０  映像データ格納部
１２０  カットデータ記憶部
１３０  ダイジェスト時間決定部
１４０  グループ分け部
１５０  グループ毎カット数決定部
１６０  カット抽出部
１７０  再生制御部
【図１】
0004946789.tif 000005
【図２】
0004946789.tif 000006
【図３】
0004946789.tif 000007
【図４】
0004946789.tif 000008
【図５】
0004946789.tif 000009